(57)【要約】【課題】施設の利用状況を探索したユーザに対して、利用状況を提供して所望の施設へ誘導すると共に、当該施設やその周辺における有益な広告情報を好適に配信する仕組みを提供する。【解決手段】本携帯端末は、受け付けたユーザ入力に従って選択された施設までの経路情報を管理サーバから取得して、経路情報を含むマップ画面を表示部に表示させる。さらに、本携帯端末は、当該施設に到達すると、当該施設に設置された表示装置で表示されている広告情報を、管理サーバ又はリモートサーバから取得して、マップ画面に切り替えて、当該表示装置の表示内容に連携した広告画面を表示部に表示させる。【選択図】  図１
2019086986.tif 000002
【特許請求の範囲】
【請求項１】
携帯端末であって、
ユーザ入力を受け付ける受付手段と、
前記受付手段によって受け付けたユーザ入力に従って選択された施設までの経路情報を管理サーバから取得して、該経路情報を含むマップ画面を表示部に表示させる第１の取得手段と、
前記施設に到達すると、当該施設に設置された表示装置で表示されている広告情報を、前記管理サーバ、又は前記表示装置と共に施設に設置されているリモートサーバから取得して、前記マップ画面に切り替えて、該表示装置の表示内容に連携した広告画面を前記表示部に表示させる第２の取得手段と
を備えることを特徴とする携帯端末。
【請求項２】
前記受付手段によって受け付けたユーザ入力に従って、ユーザが所望する施設の探索要求を前記管理サーバに通知して、該管理サーバから探索結果を取得し、該探索結果のリスト画面を表示部に表示させる第３の取得手段をさらに備え、
前記第１の取得手段は、前記リスト画面を介して入力されたユーザ入力に従って選択された施設までの経路情報を前記管理サーバから取得することを特徴とする請求項１に記載の携帯端末。
【請求項３】
近距離無線通信を行う第１の通信手段と、
前記第１の通信手段より広域な範囲で通信を行う第２の通信手段と、をさらに備え、
前記管理サーバとは、前記第２の通信手段を用いて通信を行い、
前記リモートサーバとは、前記第１の通信手段を用いて通信を行うことを特徴とする請求項２に記載の携帯端末。
【請求項４】
前記携帯端末の位置情報を受信するＧＰＳ受信機をさらに備え、
前記第１の取得手段は、前記ＧＰＳ受信機によって受信した位置情報と、前記ユーザ入力に従って選択された施設の種別を示す情報とを前記管理サーバに通知することにより、前記経路情報を取得することを特徴とする請求項３に記載の携帯端末。
【請求項５】
前記第２の取得手段は、前記第１の通信手段を介して前記リモートサーバからのビーコンを検出すると、前記施設に到達したと判断することを特徴とする請求項３又は４に記載の携帯端末。
【請求項６】
前記第２の取得手段は、前記ＧＰＳ受信機によって受信した前記携帯端末の位置情報が、前記選択された施設から所定の範囲となると、前記施設に到達したと判断することを特徴とする請求項４に記載の携帯端末。
【請求項７】
前記リスト画面は、探索結果として、各施設について、前記携帯端末の位置から当該施設までの距離と、当該施設の名称と、当該施設の利用状況との表示を少なくとも含むこと特徴とする請求項２乃至６の何れか１項に記載の携帯端末。
【請求項８】
前記施設の利用状況を示す表示は、当該施設における複数の種別ごとの利用状況を示すアイコンを含むことを特徴とする請求項７に記載の携帯端末。
【請求項９】
前記施設は、公衆トイレであり、
前記施設における複数の種別は、男性用トイレ、女性用トイレ、及び車いす用トイレを少なくとも含むことを特徴とする請求項８に記載の携帯端末。
【請求項１０】
前記マップ画面は、前記施設における複数の種別のうち、利用状況が利用可能を示す種別に対応した前記アイコンの表示を含むことを特徴とする請求項８又は９に記載の携帯端末。
【請求項１１】
前記広告画面は、前記表示装置の表示内容と同一であることを特徴とする請求項１乃至１０の何れか１項に記載の携帯端末。
【請求項１２】
前記広告画面には、さらに、表示している広告情報の詳細情報を前記管理サーバから取得するためのボタンが含まれることを特徴とする請求項１乃至１１の何れか１項に記載の携帯端末。
【請求項１３】
前記詳細情報は、表示している広告情報の詳細を閲覧するリンク先を示すアドレス、及び当該広告情報に関連するクーポン情報の少なくとも１つを含むことを特徴とする請求項１２に記載の携帯端末。
【請求項１４】
施設ごとの利用状況と、該施設に関連する広告情報とを管理する管理サーバであって、
携帯端末からの施設の選択に従って、前記携帯端末の位置から前記選択された施設までの経路情報を該携帯端末へ通知する第１の提供手段と、
前記施設に設置されている表示装置及び携帯端末の少なくとも一方に該施設に関わる広告情報を配信する配信手段と、
前記携帯端末からの要求に従って、前記広告情報の詳細情報を提供する第２の提供手段と
を備えることを特徴とする管理サーバ。
【請求項１５】
施設ごとに設置されているリモートサーバから該施設の利用状況を取得して、管理している利用状況を更新する更新手段をさらに備えることを特徴とする請求項１４に記載の管理サーバ。
【請求項１６】
広告を表示する表示装置と共に、所定の施設に設置されるリモートサーバであって、
近距離無線通信を行う第１の通信手段と、
前記第１の通信手段より広域な範囲で通信を行う第２の通信手段と、
前記施設の出入口付近に設置されたセンサ及び前記表示装置に設けられたセンサの少なくとも１つからの信号に基づいて、利用状況を示す情報を生成し、前記第２の通信手段を介して管理サーバに通知する監視手段と、
前記近距離無線通信を介してアクセスしてきた携帯端末に対して、前記表示装置に表示されている広告情報を前記第１の通信手段を介して提供する広告情報提供手段と
を備えることを特徴とするリモートサーバ。
【請求項１７】
前記施設の出入口付近に設置されたセンサ及び前記表示装置に設けられたセンサの少なくとも１つからの信号に基づいて、前記表示装置の起動及び停止を制御する起動制御手段をさらに備えることを特徴とする請求項１６に記載のリモートサーバ。
【請求項１８】
ユーザ入力を受け付ける受付手段を備える携帯端末の制御方法であって、
前記受付手段によって受け付けたユーザ入力に従って選択された施設までの経路情報を管理サーバから取得して、該経路情報を含むマップ画面を表示部に表示させる第１の取得工程と、
前記施設に到達すると、当該施設に設置された表示装置で表示されている広告情報を、前記管理サーバ、又は前記表示装置と共に施設に設置されているリモートサーバから取得して、前記マップ画面に切り替えて、該表示装置の表示内容に連携した広告画面を前記表示部に表示させる第２の取得工程と
を含むことを特徴とする携帯端末の制御方法。
【請求項１９】
施設ごとの利用状況と、該施設に関連する広告情報とを管理する管理サーバの制御方法であって、
携帯端末からの施設の選択に従って、前記携帯端末の位置から前記選択された施設までの経路情報を該携帯端末へ通知する第１の提供工程と、
前記施設に設置されている表示装置に該施設に関わる広告情報を配信する配信工程と、
前記携帯端末からの要求に従って、前記広告情報の詳細情報を提供する第２の提供工程と
を含むことを特徴とする管理サーバの制御方法。
【請求項２０】
近距離無線通信を行う第１の通信手段と、前記第１の通信手段より広域な範囲で通信を行う第２の通信手段と、を備え、広告を表示する表示装置と共に、所定の施設に設置されるリモートサーバの制御方法であって、
前記施設の出入口付近に設置されたセンサ及び前記表示装置に設けられたセンサの少なくとも１つからの信号に基づいて、利用状況を示す情報を生成し、前記第２の通信手段を介して管理サーバに通知する監視工程と、
前記近距離無線通信を介してアクセスしてきた携帯端末に対して、前記表示装置に表示されている広告情報を前記第１の通信手段を介して提供する広告情報提供工程と
を含むことを特徴とするリモートサーバの制御方法。
【請求項２１】
ユーザ入力を受け付ける受付手段を備える携帯端末において動作するプログラムであって、
前記受付手段によって受け付けたユーザ入力に従って選択された施設までの経路情報を管理サーバから取得して、該経路情報を含むマップ画面を表示部に表示させる第１の取得工程と、
前記施設に到達すると、当該施設に設置された表示装置で表示されている広告情報を、前記管理サーバ、又は前記表示装置と共に施設に設置されているリモートサーバから取得して、前記マップ画面に切り替えて、該表示装置の表示内容に連携した広告画面を前記表示部に表示させる第２の取得工程と
を含むことを特徴とするプログラム。
【請求項２２】
施設ごとの利用状況と、該施設に関連する広告情報とを管理する管理サーバにおいて動作するプログラムであって、
携帯端末からの施設の選択に従って、前記携帯端末の位置から前記選択された施設までの経路情報を該携帯端末へ通知する第１の提供工程と、
前記施設に設置されている表示装置に該施設に関わる広告情報を配信する配信工程と、
前記携帯端末からの要求に従って、前記広告情報の詳細情報を提供する第２の提供工程と
を含むことを特徴とするプログラム。
【請求項２３】
近距離無線通信を行う第１の通信手段と、前記第１の通信手段より広域な範囲で通信を行う第２の通信手段と、を備え、広告を表示する表示装置と共に、所定の施設に設置されるリモートサーバにおいて動作するプログラムであって、
前記施設の出入口付近に設置されたセンサ及び前記表示装置に設けられたセンサの少なくとも１つからの信号に基づいて、利用状況を示す情報を生成し、前記第２の通信手段を介して管理サーバに通知する監視工程と、
前記近距離無線通信を介してアクセスしてきた携帯端末に対して、前記表示装置に表示されている広告情報を前記第１の通信手段を介して提供する広告情報提供工程と
を含むことを特徴とするプログラム。
【請求項２４】
携帯端末と、施設ごとの利用状況及び該施設に関連する広告情報を管理する管理サーバと、広告を表示する表示装置と共に、所定の施設に設置されるリモートサーバとを含む探索配信システムであって、
前記携帯端末は、
ユーザ入力を受け付ける受付手段と、
前記受付手段によって受け付けたユーザ入力に従って選択された施設までの経路情報を管理サーバから取得して、該経路情報を含むマップ画面を表示部に表示させる第１の取得手段と、
前記施設に到達すると、当該施設に設置された表示装置で表示されている広告情報を、前記管理サーバ、又は前記表示装置と共に施設に設置されているリモートサーバから取得して、前記マップ画面に切り替えて、該表示装置の表示内容に連携した広告画面を前記表示部に表示させる第２の取得手段と
を備え、
前記管理サーバは、
携帯端末からの施設の選択に従って、前記携帯端末の位置から前記選択された施設までの経路情報を該携帯端末へ通知する第１の提供手段と、
前記施設に設置されている表示装置に該施設に関わる広告情報を配信する配信手段と、
前記携帯端末からの要求に従って、前記広告情報の詳細情報を提供する第２の提供手段と
を備え、
前記リモートサーバは、
近距離無線通信を行う第１の通信手段と、
前記第１の通信手段より広域な範囲で通信を行う第２の通信手段と、
前記施設の出入口付近に設置されたセンサ及び前記表示装置に設けられたセンサの少なくとも１つからの信号に基づいて、利用状況を示す情報を生成し、前記第２の通信手段を介して管理サーバに通知する監視手段と、
前記近距離無線通信を介してアクセスしてきた携帯端末に対して、前記表示装置に表示されている広告情報を前記第１の通信手段を介して提供する広告情報提供手段と
を備えることを特徴とする探索配信システム。
【発明の詳細な説明】
【技術分野】
【０００１】
本発明は、携帯端末、管理サーバ、リモートサーバ、それらの制御方法、プログラム、及び探索配信システムに関する。
【背景技術】
【０００２】
ビルの壁面や商業施設等に設置される看板やデジタルサイネージ（電子看板）が知られている。これらは、一定数の広告映像を繰り返し放映するものである。しかし、視聴者が何れかの広告に興味を持ったとしても、広告内容に関してより詳細な情報を容易に入手することができず、広告の効果が充分に得られないという問題もある。これに対し、特許文献１には、広告データを表示装置に表示し、付随データを通行人の携帯端末に送信するシステムが提案されている。
【０００３】
また、近年、携帯電話機、スマートフォン、タブレット、ノートＰＣなど、無線通信機能を有する携帯端末が急速に普及している。これらの携帯端末では、各種アプリケーションをダウンロードすることにより様々なサービスを受けることができる。また、これらの携帯端末は、ＧＰＳ（global positioning system）機能を備えるものも多く、自装置の位置を認識することができる。これらのサービスや機能を利用することにより、例えば、周辺の施設の利用状況や予約状況を検索するサービスなどが提供されている。例えば、特許文献２には、公衆トイレの利用者を検知して利用状況情報を生成し、生成した情報を携帯端末に送信することにより、公衆トイレの待ち行列を解消する提案が行われている。
【先行技術文献】
【特許文献】
【０００４】
【特許文献１】特開2004-157499号公報
【特許文献２】特開2009-002088号公報
【発明の概要】
【発明が解決しようとする課題】
【０００５】
しかしながら、上記従来技術には以下に記載する課題がある。例えば、上記従来技術では、広告データを表示する表示装置の前を通行する通行人の全てに付随データを配信している。このように単に無差別な配信では、通行人が注目していない状態で、各携帯端末に付随データが配信されることとなり、通行人が当該付随データに気付くことなく当該表示装置を視認可能な範囲から離脱する可能性が高い。また、通行人が表示装置を視認可能な範囲から離脱した後に当該付随データに気付いたとしても、優れた広告効果を得ることはできない。
【０００６】
また、上記従来技術における公衆トイレの利用状況情報を携帯端末に配信するサービスでは、周辺の情報や広告情報の通知は全く考慮されていない。例えば、ユーザを所定の施設へ誘導するサービスにおいて、当該ユーザの位置に応じた広告データを好適に配信する仕組みが提供されれば、ユーザが携帯端末に注目した状態で広告に関するデータを配信することができる。これにより、より高い広告効果を得ることができ、ユーザや広告主の両者にとって非常に有益である。しかし、このような仕組みは提案されていないのが現状である。
【０００７】
本発明は、上述の問題に鑑みて成されたものであり、施設の利用状況を探索したユーザに対して、利用状況を提供して所望の施設へ誘導すると共に、当該施設やその周辺における有益な広告情報を好適に配信する仕組みを提供することを目的とする。
【課題を解決するための手段】
【０００８】
本発明は、例えば、携帯端末であって、ユーザ入力を受け付ける受付手段と、前記受付手段によって受け付けたユーザ入力に従って選択された施設までの経路情報を管理サーバから取得して、該経路情報を含むマップ画面を表示部に表示させる第１の取得手段と、前記施設に到達すると、当該施設に設置された表示装置で表示されている広告情報を、前記管理サーバ、又は前記表示装置と共に施設に設置されているリモートサーバから取得して、前記マップ画面に切り替えて、該表示装置の表示内容に連携した広告画面を前記表示部に表示させる第２の取得手段とを備えることを特徴とする。
【０００９】
また、本発明は、例えば、携帯端末からの施設の選択に従って、前記携帯端末の位置から前記選択された施設までの経路情報を該携帯端末へ通知する第１の提供手段と、前記施設に設置されている表示装置及び携帯端末の少なくとも一方に該施設に関わる広告情報を配信する配信手段と、前記携帯端末からの要求に従って、前記広告情報の詳細情報を提供する第２の提供手段とを備えることを特徴とする。
【００１０】
また、本発明は、例えば、広告を表示する表示装置と共に、所定の施設に設置されるリモートサーバであって、近距離無線通信を行う第１の通信手段と、前記第１の通信手段より広域な範囲で通信を行う第２の通信手段と、前記施設の出入口付近に設置されたセンサ及び前記表示装置に設けられたセンサの少なくとも１つからの信号に基づいて、利用状況を示す情報を生成し、前記第２の通信手段を介して管理サーバに通知する監視手段と、前記近距離無線通信を介してアクセスしてきた携帯端末に対して、前記表示装置に表示されている広告情報を前記第１の通信手段を介して提供する広告情報提供手段とを備えることを特徴とする。
【発明の効果】
【００１１】
本発明によれば、施設の利用状況を探索したユーザに対して、利用状況を提供して所望の施設へ誘導すると共に、当該施設やその周辺における有益な広告情報を好適に配信することができる。
【図面の簡単な説明】
【００１２】
【図１】一実施形態に係る探索配信システムの構成例を示す図である。
【図２】一実施形態に係るユーザ端末の構成例を示す図である。
【図３】一実施形態に係る管理サーバ及びリモートサーバの構成例を示す図である。
【図４】一実施形態に係るシステムの全体シーケンスを示す図である。
【図５Ａ】一実施形態に係る探索結果のリスト画面の一例を示す図である。
【図５Ｂ】一実施形態に係るマップ画面の一例を示す図である。
【図５Ｃ】一実施形態に係る広告画面の一例を示す図である。
【図６Ａ】一実施形態に係る広告情報の一例を示す図である。
【図６Ｂ】一実施形態に係る利用状況の情報の一例を示す図である。
【図７Ａ】一実施形態に係るユーザ端末の処理手順を示すフローチャートである。
【図７Ｂ】一実施形態に係るユーザ端末の処理手順を示すフローチャートである。
【図７Ｃ】一実施形態に係るユーザ端末の処理手順を示すフローチャートである。
【図８】一実施形態に係るリモートサーバの処理手順を示すフローチャートである。
【図９】一実施形態に係る管理サーバの処理手順を示すフローチャートである。
【発明を実施するための形態】
【００１３】
以下、添付図面を参照して本発明の実施形態を詳しく説明する。なお、以下の実施形態は特許請求の範囲に係る本発明を限定するものでなく、また本実施形態で説明されている特徴の組み合わせの全てが本発明の解決手段に必須のものとは限らない。
【００１４】
＜探索配信システムの構成＞
以下では、本発明の一実施形態について説明する。まず、図１を参照して、本実施形態に係る探索配信システムの構成例について説明する。なお、以下で説明するシステム構成は、本発明に適用されうる一例を示すものであり、本発明を限定する意図はなく、各コンポーネントの台数や種別を限定する意図はない。また、後述するサーバ等はその機能が分散して設けられてもよいし、複数のサーバが１台の装置で実現されてもよい。特に、表示装置１０１、リモートサーバ１０２、及び管理サーバ１０８は１台の情報処理装置（サーバ装置）として実現されてもよい。
【００１５】
本探索配信システムは、表示装置１０１、１０７、リモートサーバ１０２、携帯端末（ユーザ端末）１０３〜１０６、管理サーバ１０８、及びセンサ１１３を含んで構成される。各装置は、広域ネットワーク１０９を介して相互通信可能に接続される。また、表示装置１０１、１０７、リモートサーバ１０２、及び携帯端末１０３〜１０６は、近距離無線通信を介して相互に情報を送受することができる。
【００１６】
表示装置１０１は、公共施設、商業施設、車両等に屋内外を問わず設置される表示装置であって、広告映像を放映する装置である。例えば、表示装置１０１は、公衆トイレ等の個室に設置されてもよいし、タクシー、バス、電車、航空機等の交通機関の機内に設置されてもよいし、屋外のビルの壁面等に設置されてもよい。本実施形態では、一例として、施設１１０の中に設置される。なお、ここでは、１つの施設１１０に１つの表示装置１０１のみを設定しているが本発明を限定する意図はない。例えば、公衆トイレやレストランなどの個室を有する施設である場合には、個室ごとに表示装置が設置されてもよい。また、表示装置１０１は、近距離無線通信及び広域ネットワークを介した通信を行うことができる。表示装置１０１は、当該近距離無線通信及び広域ネットワーク通信を介して、後述するリモートサーバ１０２又は管理サーバ１０８から広告情報を取得し、出力する。さらに、表示装置１０１は、携帯端末１０３〜１０６に対して、近距離無線通信を介して、自装置で表示している広告情報に関する情報を通知するようにしてもよい。さらに、表示装置１０１は、後述するセンサ１１３と同様のセンサを備え、設置された付近に侵入する物体（人物等）を検知する。
【００１７】
また、表示装置１０１は、常に映像を出力するのではなく、センサ１１３や表示装置１０１に設けられたセンサが人物を検知すると出力を開始することが望ましい。例えば、施設がトイレである場合の表示装置１０１の出力制御について説明する。施設がトイレである場合には、例えば、センサ１１３がトイレの出入り口付近に設置される。また、表示装置１０１は、各個室や男性用トイレの各便器の目線に合わせた位置に設けられる。なお、上述したように、表示装置１０１もセンサ１１３と同等のセンサが設けられている。従って、１つの施設であるトイレには複数のセンサが設けられることになる。これらを前提として、以下の条件に従って出力制御が行われる。これらの出力制御はリモートサーバ１０２が行ってもよいし、表示装置１０１が行ってもよい。
【００１８】
起動条件：まず、映像を出力していない待機状態において、センサ１１３及び表示装置１０１のセンサの何れかが人物を検知すると、表示装置１０１が起動される。表示装置１０１が複数設けられている場合は全ての表示装置１０１を起動してもよいし、表示装置１０１のセンサが人物を検知した場合においては当該表示装置１０１のみを個別に起動してもよい。
【００１９】
継続条件：何れかの表示装置１０１が起動している状態で、センサ１１３及び表示装置１０１のセンサの何れかが人物を検知している状態が継続中の場合には、表示装置１０１の起動を継続する。なお、個別に表示装置１０１の起動を継続する場合には、対応する表示装置１０１のセンサとセンサ１１３の検知状態の継続に従うことが望ましい。
【００２０】
停止条件：何れかの表示装置１０１が起動している状態で、センサ１１３及び表示装置１０１のセンサの全てが未検知になると、全ての表示装置１０１の起動を停止し、待機状態に遷移する。なお、個別に表示装置１０１の起動を継続する場合には、対応する表示装置１０１のセンサとセンサ１１３の検知状態が未検知になると当該表示装置１０１の起動を停止することが望ましい。なお、停止条件としては、未検知になってから所定時間（例えば、５秒など）が経過した後に停止する制御としてもよい。
【００２１】
リモートサーバ１０２は、表示装置１０１の近傍に設置されるサーバである。複数の表示装置に対して１つのリモートサーバが設けられてもよい。より具体的には、リモートサーバ１０２は、表示装置１０１に対して、近距離無線通信が可能な範囲１１１に設置される。なお、表示装置１０７に示すように、表示装置１０１とリモートサーバ１０２との機能を統合したデバイスとして設けてもよい。１１２は、表示装置１０７における近距離無線通信の範囲を示す。リモートサーバ１０２は、施設１１０に設けられたセンサ１１３と、表示装置１０１に設けられたセンサと、から物体（例えば、人物や車両）の検知情報を受信する。リモートサーバ１０２は、受信した検知情報に基づいて施設１１０の利用状況の情報を生成し、管理サーバ１０８へ広域ネットワーク１０９を介して送信する監視機能も有する。また、リモートサーバ１０２は、近距離無線通信を介してアクセスしてきた携帯端末に対して、表示装置１０１で表示されている広告情報を提供する。
【００２２】
センサ１１３は、物体を検知可能なセンサであればよく、例えば赤外線センサ、超音波センサ、温感センサなどでもよい。センサ１１３は、好適には、施設１１０への出入りを管理すべく当該施設１１０の出入口付近に設置され、施設に入室又は侵入しているユーザや車両の数をカウントできるように設置されることが望ましい。センサ１１３は、検知した情報を随時又は定期的にリモートサーバ１０２へ近距離無線通信を介して送信する。
【００２３】
携帯端末１０３〜１０６は、ユーザが所有する装置であり、携帯電話機、スマートフォン、タブレット、ノートＰＣ等の携帯端末である。以下では、代表して携帯端末１０３について説明するが、他の携帯端末１０４〜１０６も同様の構成及び機能を有するため説明を省略する。ユーザは、携帯端末１０３を操作して、所望の施設を探索して利用状況を取得し、選択した施設への経路を確認することができる。携帯端末１０３は、選択した施設１１０へ到着すると、当該施設１１０に設置されている表示装置１０１に表示されている広告情報をリモートサーバ１０２から取得し、表示部に出力する。リモートサーバ１０２と携帯端末１０３とは近距離無線通信と広域ネットワークを介した通信とが可能であり、携帯端末１０３がリモートサーバ１０２に接近した際に、近距離無線通信を介して通信が確立され、広告情報の送受信が行われる。つまり、本実施形態によれば、ユーザは、携帯端末１０３を利用して、所望の施設を選択し、当該施設への経路を確認でき、当該施設へ到着すると施設に関連する広告情報を確認することができる。なお、当該広告情報は、施設１１０に設けられている表示装置１０１の表示内容に連携した内容となる。もちろん、同一の内容が表示されてもよい。
【００２４】
管理サーバ１０８は、各表示装置へ広告情報を配信すると共に、各種施設の利用状況を管理するサーバである。広告情報とは、施設の一部に設置された表示装置において放映される広告映像の情報を示す。詳細については図６Ｂを用いて後述する。また、利用状況とは、対応する施設の空きなどを示す状況である。管理サーバ１０８は、各施設に配置されたリモートサーバから利用状況を受信して管理し、携帯端末からの探索要求に従って、所望の施設の利用状況を通知する。より具体的には、管理サーバ１０８は、携帯端末から施設の種別と、位置情報とを取得し、当該位置情報が示す携帯端末の位置の周辺にある施設の利用状況を通知する。また、管理サーバ１０８は、各種広告情報を管理すると共に、当該広告情報の詳細情報やクーポン等の関連情報も管理する。管理サーバ１０８は、広域ネットワーク１０９を介して接続された携帯端末、リモートサーバ、及び表示装置からの要求に従って、広告情報や上記関連情報を通知する。なお、管理サーバ１０８は、広告情報や利用状況等を自装置の記憶部に保持してもよいが、接続されたデータベースを別途設け、データベースでそれらの情報を管理してもよい。
【００２５】
これらの構成を含むことにより、本実施形態に係る探索配信システムは、携帯端末１０３〜１０６を所有するユーザに対して、各携帯端末にインストールされたアプリケーションを介して探索配信サービスを提供する。ここで、探索配信サービスとは、ユーザ所望の施設を探索して、探索リストを通知し、当該探索リストを介して選択された施設へユーザを誘導すると共に、本探索配信システムで管理している施設で広告されている広告情報を提供するサービスである。より具体的には、本実施形態によれば、ユーザが所望する施設への経路を提供すると共に、施設に到達した際に、当該施設に設置されている表示装置上に表示されている広告情報と連携して、ユーザが所有する携帯端末の表示部を切り替える。これにより、より広告効果の高い広告情報の提供を行うことができる。なお、本実施形態では、探索リストを携帯端末１０３へ通知する形態について説明するが本発明はこれに限定されない。例えば、探索した結果から最も携帯端末１０３に近い利用可能な施設を自動的に選択し、当該施設へ誘導するためのマップ情報を通知するようにしてもよい。これにより、ユーザは施設への誘導サービスを素早く受け取ることができ、所要時間を短縮することができる。
【００２６】
＜携帯端末の構成＞
次に、図２を参照して、携帯端末１０３の構成例について説明する。他の携帯端末１０４〜１０６の構成も同様であるため説明を省略する。携帯端末１０３は、ＣＰＵ２０１、ＲＡＭ２０２、ＲＯＭ２０３、ＨＤＤ２０４、入力Ｉ／Ｆ２０５、出力Ｉ／Ｆ２０６、近距離無線Ｉ／Ｆ２０７、広域ネットワークＩ／Ｆ２０８、及びＧＰＳ受信機２０９を備える。
【００２７】
ＣＰＵ２０１は、携帯端末１０３を統括的に制御する。ＲＡＭ２０２は、ＣＰＵ２０１によって使用されるワークエリアを提供するメモリである。ＲＯＭ２０３は、制御プログラムや各種設定情報等を格納するメモリである。ＨＤＤ２０４は、制御プログラムや各種情報を格納する大容量記憶装置である。ＣＰＵ２０１は、ＲＯＭ２０３やＨＤＤ２０４に格納された制御プログラムをＲＡＭ２０２に読み出して実行することにより、後述する処理を実現する。
【００２８】
入力Ｉ／Ｆ２０５は、操作部２１０を介したユーザ操作を受け付けてＣＰＵ２０１に通知する。操作部２１０は、ユーザ入力を受け付けるユーザインタフェースであり、ポインティングデバイスやハードウェアキーを備えてもよい。また、音声入力が可能であってもよい。出力Ｉ／Ｆ２０６は、ＣＰＵ２０１の指示に従って、ディスプレイ２１１に画像を表示する。なお、携帯端末１０３は、不図示のスピーカやバイブレータを備え、出力Ｉ／Ｆ２０６によってそれらの出力が制御される。
【００２９】
近距離無線Ｉ／Ｆ２０７は、ＬＡＮを介してリモートサーバ１０２と接続可能である。近距離無線通信は、施設１１０に配置されたリモートサーバ１０２と関連した位置を通信範囲としてリモートサーバ１０２が携帯端末１０３と通信を行うために使用される。近距離無線通信は、例えば、ＩＥＥＥ  ８０２．１１規格に準拠した無線ＬＡＮ（Ｗｉ−Ｆｉ）やＢｌｕｅｔｏｏｔｈ（登録商標）、ＮＦＣや赤外線通信など、所定範囲内で通信可能な通信方法であればよい。通信範囲としては、例えば、表示装置１０１が公衆トイレの個室に設置されている場合、当該公衆トイレの全領域をカバーするように設定されてもよい。携帯端末１０３は、ユーザの移動などで近距離無線通信の通信範囲内に侵入した場合に、リモートサーバ１０２からのビーコンを検出して近距離無線通信を確立することができる。なお、携帯端末１０３は、確立した近距離無線通信の範囲外に退出した場合には、広域ネットワーク１０９を介したリモートサーバ１０２との通信に切り替えることもできる。
【００３０】
広域ネットワークＩ／Ｆ２０８は、広域ネットワーク１０９を介して表示装置１０１、リモートサーバ１０２、及び管理サーバ１０８と接続可能である。広域ネットワークは、近距離無線通信より広域な通信範囲を持つ無線通信または有線通信の手法である。例えば、ＬＴＥやＬＴＥ−Ａといったセルラネットワーク、衛星通信、及びイーサネット（登録商標）などの通信方法が考えられる。近距離無線通信でリモートサーバ１０２と携帯端末１０３との接続を確立した後にユーザが移動して近距離無線通信の通信範囲から退出した後、携帯端末１０３が広域ネットワークを用いて外部装置にアクセスすることが考えられる。
【００３１】
ＧＰＳ受信機２０９は、ＧＰＳ（global positioning system）衛星からの信号を受信し、携帯端末１０３の位置を特定する。特定した位置情報は、管理サーバ１０８に対して施設の探索要求を行う場合に使用される。また、当該位置情報は、施設までのマップ（経路）を表示した際に自装置の位置をマップ上に描画し、移動に従って描画した位置を移動させるために使用される。
【００３２】
＜サーバの構成＞
次に、図３を参照して、本実施形態に係るリモートサーバ１０２と管理サーバ１０８の構成例について説明する。まず、リモートサーバ１０２について説明する。リモートサーバ１０２は、ＣＰＵ３２１、ＲＡＭ３２２、ＲＯＭ３２３、入力Ｉ／Ｆ３２４、近距離無線Ｉ／Ｆ３２５、及び広域ネットワークＩ／Ｆ３２６を備える。
【００３３】
ＣＰＵ３２１は、リモートサーバ１０２を統括的に制御する。ＲＡＭ３２２は、ＣＰＵ３２１によって使用されるワークエリアを提供するメモリである。ＲＯＭ３２３は、制御プログラムや各種設定情報等を格納するメモリである。ＣＰＵ３２１は、ＲＯＭ３２３に格納された制御プログラムをＲＡＭ３２２に読み出して実行することにより、後述する処理を実現する。
【００３４】
入力Ｉ／Ｆ３２４は、施設１１０の出入口付近に設置されたセンサ１１３及び表示装置１０１に設けられたセンサからの検知情報を受信する。なお、受信方法については、有線でも無線でもよく、近距離無線通信を用いてもよい。近距離無線Ｉ／Ｆ３２５は、ＬＡＮを介した、携帯端末１０３〜１０６、表示装置１０１、及びセンサ１１３との通信を制御する。広域ネットワークＩＦ３２６は、広域ネットワーク１０９を介した、携帯端末１０３〜１０６、表示装置１０１、及び管理サーバ１０８との通信を制御する。
【００３５】
続いて、管理サーバ１０８について説明する。管理サーバ１０８は、ＣＰＵ３０１、ＲＡＭ３０２、ＲＯＭ３０３、ＨＤＤ３０４、入力Ｉ／Ｆ３０５、出力Ｉ／Ｆ３０６、データベースＩ／Ｆ３０７、及び広域ネットワークＩ／Ｆ３０８を備える。
【００３６】
ＣＰＵ３０１は、リモートサーバ１０２を統括的に制御する。ＲＡＭ３０２は、ＣＰＵ３０１によって使用されるワークエリアを提供するメモリである。ＲＯＭ３０３は、制御プログラムや各種設定情報等を格納するメモリである。ＨＤＤ３０４は、制御プログラムや各種情報を格納する。大容量記憶装置である。ＣＰＵ３０１は、ＲＯＭ３０３やＨＤＤ３０４に格納された制御プログラムをＲＡＭ３０２に読み出して実行することにより、後述する処理を実現する。
【００３７】
入力Ｉ／Ｆ３０５は、操作部３０９を介したユーザ操作を受け付けてＣＰＵ３０１に通知する。操作部３０９は、ユーザ入力を受け付けるユーザインタフェースであり、ポインティングデバイスやハードウェアキーを備えてもよい。また、音声入力が可能であってもよい。出力Ｉ／Ｆ３０６は、ＣＰＵ３０１の指示に従って、ディスプレイ３１０に画像を表示する。
【００３８】
データベースＩ／Ｆ３０７は、データベース３１１に接続され、データベース３１１への情報の入出力を制御する。データベース３１１は、広告情報や、各施設の利用状況を示す情報を管理する。広域ネットワークＩＦ３０６は、広域ネットワーク１０９を介した、携帯端末１０３〜１０６、表示装置１０１、及びリモートサーバ１０２との通信を制御する。
【００３９】
＜全体シーケンス＞
次に、図４を参照して、本実施形態に係る探索配信システムの全体シーケンスについて説明する。なお、ここでは、携帯端末１０３を所有するユーザが当該携帯端末にインストールされたアプリケーションを起動して、所定の施設を探索し、複数の検索結果から所望の施設を選択して移動するケースについて説明する。ここでは、近距離無線通信にはＩＥＥＥ  ８０２．１１規格に準拠した無線ＬＡＮが用いられるものとして説明を行うが、前述したように、所定領域内で通信可能な他の近距離無線通信方式が適用されてもよい。
【００４０】
ステップＳ４０１で、携帯端末１０３は、操作部２１０を介して受け付けたユーザ入力に従って、上述した探索配信サービスを提供するアプリケーションを起動する。ここで、携帯端末１０３は、起動したアプリケーションの初期画面（不図示）をディスプレイ２１１に表示する。初期画面には、当該施設を探索するためのメニュー画面が表示される。例えば、施設の種別を選択して、探索開始の指示（探索要求）をすることができる画面構成であればよい。当該初期画面を介して探索要求を受け付けると、ステップＳ４０２で、携帯端末１０３は、管理サーバ１０８に対して、広域ネットワーク１０９を介して探索要求を通知する。なお、携帯端末１０３と、管理サーバ１０８との間の通信は、他の情報をやり取りする場合においても広域ネットワーク１０９を介して行われるため、以下では携帯端末と管理サーバ１０８との間で行われる通信種別に関する記載は省略する。当該探索要求には、少なくとも、探索する施設の種別と、携帯端末１０３の位置情報とが含まれる。当該施設の種別には、例えば、公衆トイレ、レストラン、駐車場、公共施設等、表示装置が設置される可能性のある施設が含まれ、本発明においてはその種別を特定の種別に限定する意図はない。また、携帯端末１０３の位置情報とは、ＧＰＳ受信機２０９を介して取得した携帯端末１０３が現在位置している情報である。
【００４１】
次に、ステップＳ４０３で、管理サーバ１０８は、携帯端末１０３の位置に基づいて、自装置で管理している利用状況から、ユーザが所望する施設をリストアップし、当該空き情報を携帯端末１０３へ応答する。この空き情報は、探索結果のリストであり、上記位置情報が示す位置の周辺に存在する１以上の施設の空き情報が含まれる。つまり、空き情報には、複数の施設の空き情報が含まれてもよい。
【００４２】
ステップＳ４０４で、携帯端末１０３は、ステップＳ４０３で受け付けた空き情報（探索結果のリスト）を操作部２１０に表示する。探索結果のリスト画面の詳細については、図５Ａを用いて後述する。リスト画面を介して表示した複数の施設から所望の施設が選択されると、ステップＳ４０５で、携帯端末１０３は、選択された施設の経路情報を管理サーバ１０８に要求する。ここで、経路情報とは、当該施設までの経路を示す情報であり、携帯端末１０３に予め格納されているマップ情報に追加される情報でもよく、或いは、当該マップ情報を含む情報であってもよい。ステップＳ４０６で、管理サーバ１０８は、ステップＳ４０５の経路情報の要求に応じて、携帯端末１０３の位置情報と、対象の施設の位置とに基づいて、現在の携帯端末１０３の位置から当該施設までの経路情報と、当該施設に設定されているリモートサーバ１０２の識別情報とを通知する。ここで、リモートサーバ１０２の識別情報を通知しておくことは、当該リモートサーバ１０２から出力されるビーコンを検出した際に、所望する施設に設置されているリモートサーバ１０２であることを識別するために有用である。つまり、所望する施設に到着する前に他のリモートサーバから出力されるビーコンを検出したとしても、当該リモートサーバと通信を確立して広告情報の表示に切り替えることを防止することができる。なお、携帯端末１０３が予めマップ情報を有する場合には、当該施設までの経路を示す情報のみを、経路情報として通知するようにしてもよいし、マップ情報を含んで通知してもよい。
【００４３】
また、上記Ｓ４０４では、探索結果のリストを携帯端末１０３の操作部２１０に表示し、当該リスト画面を介して選択された施設への経路情報を管理サーバ１０８から取得する構成について説明したが、本発明はこれに限定されない。例えば、ユーザが施設までの経路情報の入手を急いでいる場合などには、探索結果のリストを表示するよりも、探索結果の中で携帯端末１０３に最も近い利用可能な施設を自動的に（強制的に）選択して経路情報を通知するようにしてもよい。この場合、例えば自動選択ボタン等を基本画面等に配置することにより対応してもよいし、設定により変更（切替）できるように対応してもよい。これによりユーザが誘導されるまでの所要時間を短縮することができる。
【００４４】
ステップＳ４０７で、携帯端末１０３は、受信した経路情報に従って、操作部２１０にユーザが選択した施設までの経路を表示する。当該経路情報を表示するマップ画面の詳細については、図５Ｂを用いて後述する。その後、携帯端末１０３は、ＧＰＳ受信機２０９で当該携帯端末１０３の位置情報を定期的に取得し、携帯端末１０３の移動に従って、当該マップ画面を更新する。
【００４５】
選択した施設へ到着すると、ステップＳ４０８で、携帯端末１０３は、リモートサーバ１０２が送信しているビーコンを近距離無線Ｉ／Ｆ２０７を介して検出する。ここで、ビーコンとは、ＩＥＥＥ  ８０２．１１規格におけるビーコンであってもよく、リモートサーバ１０２によって定期的にブロードキャスト送信されるものである。例えば、携帯端末１０３を所有するユーザがリモートサーバ１０２と近距離無線通信を行うことができる所定の範囲に侵入した際に、携帯端末１０３は当該ビーコンを検出することができる。ステップＳ４０９で、携帯端末１０３は、ビーコンを検出すると、当該ビーコンの送信元であるリモートサーバ１０２の識別情報が、ステップＳ４０６で受け付けた識別情報と一致する場合に、当該リモートサーバ１０２に対して接続要求を通知する。従って、当該ビーコンには、対応するリモートサーバの識別情報が含まれることが望ましい。或いは、当該ビーコンにリモートサーバの識別情報が含まれない場合は、携帯端末１０３は、接続要求を出力した後に識別情報を取得して、ステップＳ４０６で受け付けた識別情報と一致するか否かを判断するようにしてもよい。なお、ここでは、リモートサーバ１０２から出力されるビーコンの検出によって施設に到達したか否かを判定する構成について説明したが、本発明はこれに限定されない。例えば、携帯端末１０３に設けられたＧＰＳ受信機２０９によって受信された位置情報が、所望する施設から所定の範囲内を示すと、当該施設に到達したと判断するようにしてもよい。
【００４６】
次に、ステップＳ４１０で、リモートサーバ１０２は、携帯端末１０３からの接続要求に対して接続応答を通知し、近距離無線通信を確立する。近距離無線通信が確立すると、ステップＳ４１１で、リモートサーバ１０２は、リモートサーバ１０２の近距離無線通信の範囲内に位置する表示装置１０１で表示されている広告情報を携帯端末１０３へ送信する。ここで、リモートサーバ１０２は、携帯端末１０３へ当該広告情報を通知するために、表示装置１０１と近距離無線通信を行って現在表示している広告情報を取得してもよい。或いは、定期的に表示している広告情報を取得して保持しておき、リモートサーバ１０２は、現在保持している広告情報を携帯端末１０３へ通知するようにしてもよい。なお、ここでは、リモートサーバ１０２から広告情報が通知される構成について説明したが、本発明はこれに限定されない。例えば、管理サーバ１０８が広告情報を携帯端末１０３に通知するようにしてもよい。この場合、リモートサーバ１０２から大量のデータを送信する必要がないため、その構成を簡略化することができ、装置のコストを軽減することができる。
【００４７】
広告情報が通知されると、ステップＳ４１２で、携帯端末１０３は、受信した広告情報に従って、つまり、表示装置１０１の表示内容に連携して、操作部２１０に広告表示を行う。なお、広告表示画面の詳細については図５Ｃを用いて後述する。その後、ステップＳ４１３以降で、リモートサーバ１０２は、広告情報を定期的に携帯端末１０３へ通知する。ステップＳ４１４以降で、携帯端末１０３は、広告情報の通知に従って、操作部２１０の表示内容を更新する。
【００４８】
ステップＳ４１５で、携帯端末１０３は、広告表示画面を介した操作入力に従って、管理サーバ１０８に当該広告情報の詳細情報を要求する。この詳細情報の要求とは、例えば、表示されている広告の詳細情報を提供するアクセス先のＵＲＬであったり、広告情報に対応するクーポンであったりしてもよい。ステップＳ４１６で、管理サーバ１０８は、詳細情報要求に応答して、対応する詳細情報を予め管理している情報から携帯端末１０３へ通知し、本シーケンスを終了する。なお、本シーケンスの説明については終了するが、ユーザは引き続きアプリケーションを介してサービスの提供を受けることができ、例えば所望した施設から離れた場合であっても広域ネットワーク１０９を介して、広告情報やそれらの詳細情報の提供を受けることもできる。
【００４９】
なお、リモートサーバ１０２は、ステップＳ４３１及びＳ４３２に示すように、センサ１１３及び表示装置１０１のセンサからの検知信号に従って施設１１０の利用状況を定期的に又は利用状況が変化するごとに、管理サーバ１０８に対して通知する。当該利用状況の通知は、例えば施設１１０が公衆トイレやレストラン、駐車場等である場合は、それらの空き状況を示す情報となる。管理サーバ１０８は、それらの通知に従って、管理している利用状況を更新する。
【００５０】
＜画面例＞
次に、図５Ａ乃至図５Ｃを参照して、携帯端末１０３のディスプレイ２１１に表示する画面について説明する。図５Ａは、探索結果のリストを含むアプリケーション画面の一例を示す図である。当該リスト画面は、リスト表示５０１に加えて、各種ボタン５０３〜５０８を含んで構成される。なお、当該アプリケーションの初期画面は、上記ボタン５０３〜５０８を含んで構成される。
【００５１】
ボタン５０３は、広告ボタンであり、選択すると当該アプリケーションがデフォルトで設定している広告情報や、各施設に設置されているリモートサーバ又は管理サーバ１０８から取得した広告を、図５Ａにおけるリスト表示５０１が表示されている領域（以下、表示領域と称する。）に表示させるためのボタンである。ボタン５０４は、探索ボタンであり、所望の施設の種別を選択し、探索を開始するための指示を行う画面を表示領域に表示させるためのボタンである。ボタン５０５は、Ｌｉｎｋボタンであり、広告情報を表示領域に表示している際に、当該広告情報の詳細情報へアクセスするためのボタンである。アクセスすると、アクセス先の画面が表示領域に表示される。なお、ボタン５０５は、表示領域に広告表示が行われている場合にのみ選択可能に表示されてもよい。表示領域に広告表示が行われていない場合は、例えば、グレイアウト表示で選択不可に制御されてもよい。ボタン５０６は、クーポンボタンであり、広告情報を表示領域に表示している際に、当該広告情報に関連するクーポンを表示領域に表示させるボタンである。ボタン５０７は、ＭＡＰボタンであり、携帯端末１０３が現在位置する場所を中心とした地図を表示領域に表示させると共に、所定の施設までの経路情報を有していれば当該地図に重畳して経路も表示させるボタンである。ボタン５０８は、設定ボタンであり、アプリケーションが提供する各種サービスや操作関連の設定を行う画面を表示領域に表示させるボタンである。
【００５２】
上記初期画面において、ボタン５０４が選択され、所望の施設の種別を選択し、探索を開始するための指示を行う画面が表示領域に表示される。ここで、探索の開始が指示されると、管理サーバ１０８で管理されている情報から所望の施設を探索し、当該探索結果のリスト表示５０１がディスプレイ２１１の表示領域に表示される。リスト表示５０１には、携帯端末１０３を中心に近くにある複数の所望の施設のうち、空きのある施設までの距離、その名称、及び空きのある施設の種別が表示される。なお、候補となる複数の施設が表示されるが、図５Ａに示すように、現在の携帯端末１０３からの距離が短い順に表示するように制御してもよい。なお、図５Ａの例では、ユーザが所望する施設が公衆トイレであり、公衆トイレの空きがある施設がリストアップされる。この場合、空きのある施設の種別として、男性用トイレ、女性用トイレ、車いす用トイレのアイコンが表示される。なお、その中で空きのない状況である種別については、その旨がユーザに認識できるように表示されることが望ましい。例えば、種別のアイコンをバツ印で表示するなどの制御が行われてもよい。
【００５３】
図５Ａの５０２は、ユーザがディスプレイ２１１のタッチパネルを押下することにより、選択された項目を示す。５０２の項目は、携帯端末１０３からの距離が１２０ｍの、ＡＡＡビルの３Ｆであり、男性用トイレと女性用トイレとに空きがあり、車いす用トイレは空いていない状況を示す。このように何れかの項目を選択した状態で、ボタン５０７が押下されると、選択した施設への経路情報を表示する、図５Ｂのマップ画面に遷移する。
【００５４】
図５Ｂに示すように、選択した施設までのマップ表示５１０がディスプレイ２１１の表示領域に表示される。５１１は、携帯端末１０３を所有するユーザの位置を示し、進むべき経路を矢印で示している。５１２は、目的地となる施設のうち、空きのある男性用トイレと女性用トイレとのアイコン表示である。ユーザは、当該経路情報に従って施設まで移動することになる。その後、施設１１０に到着すると、携帯端末１０３は、リモートサーバ１０２からビーコンを検出して近距離無線通信を確立し、表示装置１０１と連携した広告情報を取得して、図５Ｃに示すように、マップ画面から広告画面に遷移する。なお、携帯端末１０３は、リモートサーバ１０２の代わりに管理サーバ１０８から表示装置１０１と連携した広告情報を取得してもよい。また、広告情報は、個人に特化した情報であってもよい。例えば、ユーザＩＤ等から性別や年齢層が特定できる場合は、それらの属性に応じた広告情報を通知するようにしてもよい。この場合、管理サーバ１０８がそれらの個人情報を管理し、当該個人情報に対応する広告情報を広域ネットワークを介して携帯端末１０３へ送信するように制御してもよい。
【００５５】
図５Ｃに示すように、広告画面に切り替わると、到着した施設１１０の設置されている表示装置１０１の表示内容と連携したことを表示すると共に、広告表示５２０がディスプレイ２１１の表示領域に表示される。なお、図５Ｃに示す例では、表示装置１０１の表示内容と同一の表示が、携帯端末１０３のディスプレイ２１１に表示されているが、この構成に本発明を限定する意図はない。つまり、本発明では、表示装置１０１の表示内容に関連する表示が行われればよく、必ずしも同一の画面を表示する必要はない。広告表示５２０が表示されると、ボタン５０５が選択可能に表示され、当該ボタン５０５を選択することにより、広告表示に関連する詳細情報を取得するためのリンク先にアクセスすることができる。
【００５６】
＜広告情報＞
次に、図６Ａを参照して、管理サーバ１０８が管理する広告情報の一例を説明する。一実施形態において、広告情報は、リモートサーバＩＤ６０１、広告ＩＤ６０２、広告アドレス６０３、クーポンアドレス６０４、及び店舗情報アドレス６０５を含む。
【００５７】
リモートサーバＩＤ６０１は、リモートサーバ１０２が有する固有の識別子（ＩＤ）である。あるリモートサーバＩＤ６０１を有するリモートサーバ１０２がどの表示装置（１０１）と対応しているかが判断可能であることが好ましい。広告ＩＤ６０２は、リモートサーバ１０２によって配信される広告に紐づいたＩＤであって、広告ＩＤ６０２や、リモートサーバＩＤ６０１と広告ＩＤ６０２との組み合わせなどによって広告が一意に特定できればよい。広告アドレス６０３は、詳細情報に含まれる、広告の情報源（映像、Ｗｅｂページ等）又はそのアドレスである。クーポンアドレス６０４は、詳細情報に含まれる、割引券（画像、Ｗｅｂページなど）又はそのアドレスである。店舗情報アドレス６０５は、詳細情報に含まれる、広告に関連した商品の売り場を示す位置情報又はＷｅｂページ又はそのアドレスである。詳細情報は広告に興味を持ったユーザが取得したい情報であればよく、例えばＷｅｂ通販サイトのアドレスや、別のアプリケーションのダウンロードが可能なリンクなども含みうる。なお、図６Ａに示す広告情報は一例であって、本発明を限定する意図はなく、他の情報が含まれてもよい。
【００５８】
＜利用状況の情報＞
次に、図６Ｂを参照して、管理サーバ１０８が管理する利用状況の情報の一例について説明する。一実施形態において、利用状況の情報は、リモートＩＤ６１１、広告ＩＤ６１２、施設ＩＤ６１３、利用状況６１４、及び位置情報６１５を少なくとも含む。
【００５９】
リモートＩＤ６１１は、リモートサーバを識別するための固有の識別子（ＩＤ）である。広告ＩＤ６１２は、当該リモートサーバの近距離無線通信の範囲内に設置された表示装置が表示ししている広告情報の識別子である。施設ＩＤ６１３は、当該リモートサーバが設置された施設の種別を示す固有の識別子である。
【００６０】
利用状況６１４は、当該施設の利用状況を示す情報である。例えば、施設ＩＤ”１００１”が公衆トイレを示す場合、利用状況６１４は、各ビットごとに、１であればビットに対応する種別の公衆トイレに空きがあり、０であれば対応する種別の公衆トイレに空きがないことを示す。例えば利用状況”１１０”であれば、男性用トイレと女性用トイレに空きがあり、車いす用トイレに空きがないことを示す。位置情報６１５は、対応する施設の位置を示す情報である。ここでは、８桁の数字としているが、本発明をこれに限定する意図はなく、他の位置を識別可能な情報であればよい。
【００６１】
＜携帯端末の処理手順＞
次に、図７Ａ乃至図７Ｃを使用して、携帯端末１０３の処理手順について説明を行う。まず、図７Ａを参照して、探索配信システムに関わるアプリケーションを起動する処理からについて説明する。以下で説明する処理は、例えば携帯端末１０３のＣＰＵ２０１がＲＯＭ２０３やＨＤＤ２０４に予め格納された制御プログラムをＲＡＭ２０２に読み出して実行することにより実現される。
【００６２】
ステップＳ７０１で、ＣＰＵ２０１は、操作部２１０を介して、本探索配信システムに関わるアプリケーションを起動するためのユーザ入力を受け付けたか否かを判定する。受け付けると、ステップＳ７０２で、ＣＰＵ２０１は、ＨＤＤ２０４に予め格納されているプログラムを読み出して、当該アプリケーションを起動する。アプリケーションを起動すると、ステップＳ７０３で、ＣＰＵ２０１は、先ずアプリケーションの初期画面を表示する。初期画面については、図５Ａを参照して既に説明している。
【００６３】
次に、ステップＳ７０４で、ＣＰＵ２０１は、初期画面を介して探索要求を指示するユーザ入力を受け付けたか否かを判定する。受け付けていればＳ７０５に進む。ステップＳ７０５で、ＣＰＵ２０１は、探索要求を管理サーバ１０８に通知して、その応答により探索結果を取得する。具体的には、ＣＰＵ２０１は、ＧＰＳ受信機２０９を用いて携帯端末１０３の位置情報を取得し、当該位置情報と、前記ユーザ入力による指示に含まれている施設の種別情報とを含む探索要求を管理サーバ１０８に送信する。その後、ＣＰＵ２０１は、当該探索要求の応答として、管理サーバ１０８から探索結果のリスト情報を取得する。探索結果を取得すると、ステップＳ７０６で、ＣＰＵ２０１は、図５Ａに示すように、探索結果のリスト表示５０１を表示領域に表示する。
【００６４】
次に、ステップＳ７０７で、ＣＰＵ２０１は、リスト表示５０１を介して、探索結果のリストの中からユーザ所望の施設が選択されたか否かを判定する。選択されると、ステップＳ７０８に進む。ステップＳ７０８で、ＣＰＵ２０１は、管理サーバ１０８から選択された施設までの経路情報を取得する。具体的には、ＣＰＵ２０１は、選択された施設の種別を示す施設ＩＤ６１３を通知することにより経路情報を要求し、管理サーバ１０８から現在の携帯端末１０３の位置から当該施設までの経路を示す情報を取得する。ここでは、マップ情報も併せて取得してもよい。また、経路情報を要求する際に、最新の携帯端末１０３の位置情報も通知するようにしてもよい。経路情報を取得すると、ステップＳ７０９で、ＣＰＵ２０１は、図５Ｂに示すように、経路情報を含むマップ表示５１０をディスプレイ２１１の表示領域に表示する。当該マップ表示５１０の表示後は、ＣＰＵ２０１は、定期的にＧＰＳ受信機２０９で携帯端末１０３の位置情報を取得し、携帯端末１０３の移動に応じてマップ表示を更新する。
【００６５】
次に、ステップＳ７１０で、ＣＰＵ２０１は、リモートサーバ１０２が出力するビーコンを検出したか否かを判定する。具体的には、ＣＰＵ２０１は、当該ビーコンにリモートサーバ１０２を示すリモートＩＤ６１１が含まれれば、ビーコンを検出したと判定する。一方、ビーコンがリモートサーバ１０２を示すリモートＩＤ６１１を含んでいなければ、ビーコンを検出したと判定せず、定期的にステップＳ７０７の判定を繰り返す。検出したと判定するとステップＳ７１１に進む。
【００６６】
ステップＳ７１１で、ＣＰＵ２０１は、ビーコンを出力するリモートサーバ１０２と近距離無線通信を確立する。確立すると、ステップＳ７１２に進み、ＣＰＵ２０１は、リモートサーバ１０２の近距離無線通信の範囲内に設置されている表示装置１０１との表示連携を行い、処理を終了する。表示連携の詳細な処理については図７Ｂを用いて後述する。
【００６７】
図７Ｂは、携帯端末１０３と、表示装置１０１との表示内容を連携させる表示連携の処理手順を示す。ステップＳ７２１で、ＣＰＵ２０１は、上記ステップＳ７１１でリモートサーバ１０２との近距離無線通信が確立すると、当該近距離無線通信を介して、表示装置１０１の表示内容に連携した広告情報をリモートサーバ１０２から取得する。なお、本発明はこれに限定されず、例えば、表示装置１０１の表示内容に連携した広告情報を広域ネットワークを介して管理サーバ１０８から取得してもよい。これにより、リモートサーバ１０２をセンサ１１３や表示装置１０１のセンサからの入力を受け付けて利用状況を管理サーバ１０８に通知する簡易的なコントロールユニットに代替することができ、システムを構築するコストを低減することができる。また、上述したように、当該広告情報は、携帯端末１０３のユーザに特化した情報としてもよい。これにより、より高い広告効果を得ることができる。広告情報を取得すると、ステップＳ７２２で、図５Ｃに示すように、当該広告情報に対応する広告をディスプレイ２１１の表示領域に表示する。
【００６８】
次に、ステップＳ７２３で、ＣＰＵ２０１は、ユーザ入力を受け付けたか否かを判定する。ユーザ入力を受け付けた場合は、ステップＳ７２４に進み、入力受付処理を実行し、ステップＳ７２５に進む。一方、ユーザ入力を受け付けていない場合は、そのままステップＳ７２５に進む。ステップＳ７２４の入力受付処理の詳細は、図７Ｃを用いて後述する。
【００６９】
ステップＳ７２５で、ＣＰＵ２０１は、近距離無線Ｉ／Ｆ２０７を介して、リモートサーバ１０２との近距離無線通信が切断したか否かを判定する。切断していなければ処理をステップＳ７２３に戻し、切断していればステップＳ７２６に進む、ステップＳ７２６で、ＣＰＵ２０１は、近距離無線通信が切断したため、ユーザが当該施設から離れたと判断し、広告の表示を終了して、本フローチャートを終了する。なお、変形例として、広告の表示は、近距離無線通信が切断してから一定時間が経過した後に終了してもよいし、近距離無線通信が切断してから、一定の距離を越えて移動した場合に終了するようにしてもよい。例えば、当該施設が含まれる商業施設や公共施設の例えばビル内に位置する場合には、継続して広告表示を行ってもよい。また、ユーザの終了操作を受け付けると広告表示を終了するようにしてもよい。当該施設を離れたとしても、ユーザが広告を閲覧している可能性もあるためである。
【００７０】
図７Ｃは、携帯端末１０３に表示装置１０１と連携して広告表示を行っている際のユーザ入力の受付処理の手順を示す。ステップＳ７３１で、ＣＰＵ２０１は、ボタン５０５のリンクボタンが選択されたか否かを判定する。リンクボタンが選択されると、ステップＳ７３２に進み、そうでない場合はステップＳ７３４に進む。ステップＳ７３２で、ＣＰＵ２０１は、広域ネットワーク１０９を介して、広告情報に含まれるリンク情報、即ち、広告アドレス６０３や店舗情報アドレス６０５にアクセスする。その後、ステップＳ７３３で、ＣＰＵ２０１は、ステップＳ７３２のアクセスにより取得した画面情報（ｈｔｍｌ画面など）をディスプレイ２１１の表示領域に表示し、処理を終了する。
【００７１】
一方、ステップＳ７３４で、ＣＰＵ２０１は、ボタン５０６のクーポンボタンが選択されたか否かを判定する。クーポンボタンが選択された場合はステップＳ７３５に進み、そうでない場合はステップＳ７３６に進む。ステップＳ７３５で、ＣＰＵ２０１は、広告情報に含まれるクーポンをディスプレイ２１１の表示領域に表示し、処理を終了する。なお、クーポン情報として、クーポンアドレス６０４を保持している場合は、ＣＰＵ２０１は、当該アドレスにアクセスして正式なクーポン情報を取得して表示してもよい。一方、ステップＳ７３６で、ＣＰＵ２０１は、その他の入力受付処理として、各種入力に従った処理を実行し、処理を終了する。当該処理については本発明の必須の構成ではないため詳細な説明は省略する。
【００７２】
＜リモートサーバの処理手順＞
次に、図８を使用して、リモートサーバ１０２の処理手順について説明を行う。以下で説明する処理は、例えばリモートサーバ１０２のＣＰＵ３２１がＲＯＭ３２３に予め格納された制御プログラムをＲＡＭ３２２に読み出して実行することにより実現される。
【００７３】
ステップＳ８０１で、リモートサーバ１０２のＣＰＵ３２１は、センサ１１３又は表示装置１０１に設けられたセンサからセンサ入力を受け付けた否かを判定する。センサ入力を受け付けると、ステップＳ８０２に進む、ＣＰＵ３２１は、当該センサからの入力に従って、管理している施設の入出状況である利用状況を導出し、導出した利用状況を管理サーバ１０８に通知し、処理を終了する。一方、センサ入力を受け付けていなければステップＳ８０３に進む。より具体的には、ＣＰＵ３２１は、例えば施設が公衆トイレである場合は、公衆トイレの入り口付近にセンサ１１３が配置されるとともに、各個室や各便器の近傍に設定される表示装置１０１に設けられたセンサで人を検知する。各センサの検知報告に応じて施設へ入ったのか、施設から出たのかを取得し、現在施設に入っている人数を決定し、利用状況を示す情報を生成する。
【００７４】
ステップＳ８０３で、ＣＰＵ３２１は、携帯端末１０３等からの近距離無線通信の接続要求を受信したか否かを判定する。接続要求を受信していればステップＳ８０４に進み、そうでない場合は処理をステップＳ８０１に戻す。ステップＳ８０４で、ＣＰＵ３２１は、当該接続要求を通知した相手装置と近距離無線通信を確立し、接続する。続いて、ステップＳ８０５で、ＣＰＵ３２１は、表示装置１０１から現在表示している広告情報を取得する。当該取得処理については、近距離無線通信を介して取得してもよいし、広域ネットワーク１０９を介して取得するようにしてもよい。また、表示装置１０１からは現在表示している広告を識別する広告ＩＤのみを取得して、当該広告ＩＤを用いて管理サーバ１０８から広告情報を取得するようにしてもよい。
【００７５】
次に、ステップＳ８０６で、ＣＰＵ３２１は、取得した広告情報を近距離無線通信を介して、携帯端末１０３に送信する。その後、ステップＳ８０７で、ＣＰＵ３２１は、ステップＳ８０４で確立した近距離無線通信が切断されたか否かを判定する。切断していれば本フローチャートの処理を終了し、切断していなければ処理をステップＳ８０５に戻す。
【００７６】
＜管理サーバの処理手順＞
次に、図９を使用して、管理サーバ１０８の処理手順について説明を行う。以下で説明する処理は、例えば管理サーバ１０８のＣＰＵ３０１がＲＯＭ３０３やＨＤＤ３０４に予め格納された制御プログラムをＲＡＭ３０２に読み出して実行することにより実現される。
【００７７】
ステップＳ９０１で、ＣＰＵ３０１は、リモートサーバから利用状況を示す情報を受信したか否かを判定する。受信していればステップＳ９０２に進み、受信していなければステップＳ９０３に進む。ステップＳ９０２で、ＣＰＵ３０１は、受信した利用状況に従って、自装置で管理している利用状況を更新し、処理を終了する。具体的には、ＣＰＵ３０１は、図６Ｂに示すテーブルの利用状況６１４を更新する。
【００７８】
ステップＳ９０３で、ＣＰＵ３０１は、詳細情報の要求を受け付けたか否かを判定する。詳細情報の要求を受け付けていればステップＳ９０４に進む、そうでなければステップＳ９０５に進む。当該詳細情報の要求は、リモートサーバ１０２や携帯端末１０３〜１０６から対象の広告を示す広告ＩＤと共に通知されうる。ステップＳ９０４で、ＣＰＵ３０１は、管理している広告情報から対応する詳細情報として、広告アドレス６０３、クーポンアドレス６０４、及び店舗情報アドレス６０５の少なくとも１つの情報を要求元に通知し、処理を終了する。
【００７９】
一方、ステップＳ９０５で、ＣＰＵ３０１は、携帯端末１０３から探索要求を受け付けたか否かを判定する。受け付けた場合はステップＳ９０６に進み、そうでない場合はステップＳ９０１に戻る。ステップＳ９０６で、ＣＰＵ３０１は、図６Ｂに示すテーブルを検索することにより、ユーザが所望する施設を探索する。具体的には、ＣＰＵ３０１は、探索要求と共に取得した携帯端末１０３の位置情報に基づいて、当該位置周辺の施設であって、かつ、利用状況６１４が空きを示す施設をリストアップし、探索結果情報を生成する。
【００８０】
次に、ステップＳ９０７で、ＣＰＵ３０１は、ステップＳ９０６で生成した探索結果情報を、要求元である携帯端末１０３に通知する。続いて、ステップＳ９０８で、ＣＰＵ３０１は、探索結果情報に基づいて選択された施設の経路情報が携帯端末１０３から要求されたか否かを判定する。要求を受け付けていればステップＳ９０９に進み、ＣＰＵ３０１は、携帯端末１０３の位置情報に従って、選択された施設までの経路情報を通知し、処理を終了する。
【００８１】
以上説明したように、本実施形態に係る探索配信システムは、携帯端末と、施設ごとの利用状況及び当該施設に関連する広告情報を管理する管理サーバと、広告を表示する表示装置と共に、所定の施設に設置されるリモートサーバとを含んで構成される。本携帯端末は、受け付けたユーザ入力に従って、ユーザが所望する施設の探索要求を管理サーバに通知して、当該管理サーバから探索結果を取得し、当該探索結果のリスト画面を表示部に表示させる。また、携帯端末は、受け付けたユーザ入力に従って、表示部によって表示した探索結果から選択された施設までの経路情報を管理サーバから取得して、経路情報を含むマップ画面を表示部に表示させる。さらに、本携帯端末は、当該施設に到達すると、当該施設に設置された表示装置で表示されている広告情報をリモートサーバ又は管理サーバから取得して、マップ画面に切り替えて、当該表示装置の表示内容に連携した広告画面を表示部に表示させる。また、本管理サーバは、携帯端末からの要求に従って、要求された施設のうち、当該携帯端末の周辺に位置している利用可能な施設のリストを当該携帯端末へ通知し、携帯端末からの上記リストに含まれる施設の選択に従って、携帯端末の位置から選択された施設までの経路情報を当該携帯端末へ通知する。また、管理サーバは、当該施設に設置されている表示装置に当該施設に関わる広告情報を配信すると共に、携帯端末からの要求に従って、上記広告情報の詳細情報を提供する。また、本リモートサーバは、近距離無線通信を行う第１の通信部と、第１の通信部より広域な範囲で通信を行う第２の通信部と、を備える。さらに、本リモートサーバは、施設の出入口付近に設置されたセンサ及び表示装置に設けられたセンサの少なくとも１つからの信号に基づいて、利用状況を示す情報を生成し、第２の通信部を介して管理サーバに通知し、近距離無線通信を介してアクセスしてきた携帯端末に対して、表示装置に表示されている広告情報を第１の通信部を介して提供する。このように、本実施形態に係る探索配信システムは、ユーザが所望する施設への経路情報を提供して、ユーザを当該施設まで誘導すると共に、当該施設へ到着すると、当該施設に関連する広告情報、例えば、当該施設に設置されたデジタルサイネージ等の表示装置に表示されている広告情報を表示する画面を携帯端末のディスプレイに表示させる。これにより、ユーザが携帯端末に注目している状態で広告を配信できると共に、当該位置（施設）に応じた有益な広告を提供できるため、より高い広告効果を期待することができる。
【符号の説明】
【００８２】
１０１：表示装置、１０２：リモートサーバ、１０３〜１０６：携帯端末、１０７：表示装置、１０８：管理サーバ、１０９：広域ネットワーク、１１０：施設、１１１、１１２：通信エリア、１１３：センサ
【図１】
2019086986.tif 000003
【図２】
2019086986.tif 000004
【図３】
2019086986.tif 000005
【図４】
2019086986.tif 000006
【図５Ａ】
2019086986.tif 000007
【図５Ｂ】
2019086986.tif 000008
【図５Ｃ】
2019086986.tif 000009
【図６Ａ】
2019086986.tif 000010
【図６Ｂ】
2019086986.tif 000011
【図７Ａ】
2019086986.tif 000012
【図７Ｂ】
2019086986.tif 000013
【図７Ｃ】
2019086986.tif 000014
【図８】
2019086986.tif 000015
【図９】
2019086986.tif 000016
【手続補正書】
【提出日】平成30年10月23日(2018.10.23)
【手続補正１】
【補正対象書類名】特許請求の範囲
【補正対象項目名】全文
【補正方法】変更
【補正の内容】
【特許請求の範囲】
【請求項１】
携帯端末であって、
ユーザ入力を受け付ける受付手段と、
前記受付手段によって受け付けたユーザ入力に従って選択された施設までの経路情報と、該選択された施設に設置されたリモートサーバを識別する識別情報とを管理サーバから取得して、該経路情報を含むマップ画面を表示部に表示させる第１の取得手段と、
外部装置から出力されるビーコンを検出すると、検出した前記ビーコンが前記リモートサーバから出力されたビーコンであるかを前記第１の取得手段によって取得した前記識別情報を用いて判断する判断手段と、
前記判断手段によって、検出した前記ビーコンが前記リモートサーバから出力されたビーコンであると判断されると、当該施設に設置された表示装置で表示されている広告情報を、前記管理サーバ、又は前記リモートサーバから取得して、前記表示部に表示されている前記マップ画面に代えて、該表示装置の表示内容に連携した広告画面を前記表示部に表示させる第２の取得手段と
を備えることを特徴とする携帯端末。
【請求項２】
前記受付手段によって受け付けたユーザ入力に従って、ユーザが所望する施設の探索要求を前記管理サーバに通知して、該管理サーバから探索結果を取得し、該探索結果のリスト画面を表示部に表示させる第３の取得手段をさらに備え、
前記第１の取得手段は、前記リスト画面を介して入力されたユーザ入力に従って、前記経路情報及び前記識別情報を前記管理サーバから取得することを特徴とする請求項１に記載の携帯端末。
【請求項３】
近距離無線通信を行う第１の通信手段と、
前記第１の通信手段より広域な範囲で通信を行う第２の通信手段と、をさらに備え、
前記管理サーバとは、前記第２の通信手段を用いて通信を行い、
前記リモートサーバ及び前記外部装置とは、前記第１の通信手段を用いて通信を行うことを特徴とする請求項２に記載の携帯端末。
【請求項４】
前記携帯端末の位置情報を受信するＧＰＳ受信機をさらに備え、
前記第１の取得手段は、前記ＧＰＳ受信機によって受信した位置情報と、前記ユーザ入力に従って選択された施設の種別を示す情報とを前記管理サーバに通知することにより、前記経路情報を取得することを特徴とする請求項３に記載の携帯端末。
【請求項５】
前記第２の取得手段は、前記ＧＰＳ受信機によって受信した前記携帯端末の位置情報が、前記選択された施設から所定の範囲となると、前記施設に到達したと判断することを特徴とする請求項４に記載の携帯端末。
【請求項６】
前記リスト画面は、探索結果として、各施設について、前記携帯端末の位置から当該施設までの距離と、当該施設の名称と、当該施設の利用状況との表示を少なくとも含むこと特徴とする請求項２乃至５の何れか１項に記載の携帯端末。
【請求項７】
前記施設の利用状況を示す表示は、当該施設における複数の種別ごとの利用状況を示すアイコンを含むことを特徴とする請求項６に記載の携帯端末。
【請求項８】
前記施設は、公衆トイレであり、
前記施設における複数の種別は、男性用トイレ、女性用トイレ、及び車いす用トイレを少なくとも含むことを特徴とする請求項７に記載の携帯端末。
【請求項９】
前記マップ画面は、前記施設における複数の種別のうち、該施設の利用状況が利用可能を示す種別に対応した前記アイコンの表示を含むことを特徴とする請求項７又は８に記載の携帯端末。
【請求項１０】
前記広告画面は、前記表示装置の表示内容と同一であることを特徴とする請求項１乃至９の何れか１項に記載の携帯端末。
【請求項１１】
前記広告画面には、さらに、表示している広告情報の詳細情報を前記管理サーバから取得するためのボタンが含まれることを特徴とする請求項１乃至１０の何れか１項に記載の携帯端末。
【請求項１２】
前記詳細情報は、表示している広告情報の詳細を閲覧するリンク先を示すアドレス、及び当該広告情報に関連するクーポン情報の少なくとも１つを含むことを特徴とする請求項１１に記載の携帯端末。
【請求項１３】
施設ごとの利用状況と、該施設に関連する広告情報とを管理する管理サーバであって、
携帯端末からの施設の選択に従って、前記携帯端末の位置から前記選択された施設までの経路情報と、該選択された施設に設置されたリモートサーバを識別する識別情報とを該携帯端末へ通知する第１の提供手段と、
前記第１の提供手段によって提供した前記識別情報に対応する前記リモートサーバから出力されるビーコンを、前記携帯端末が受信した際に行う前記管理サーバへの要求に従って、前記施設に設置されている表示装置及び携帯端末の少なくとも一方に該施設に関わる広告情報を配信する配信手段と、
前記配信手段によって配信した前記広告情報について前記携帯端末から要求を受信すると、前記広告情報の詳細情報を該携帯端末に提供する第２の提供手段と
を備えることを特徴とする管理サーバ。
【請求項１４】
施設ごとに設置されているリモートサーバから当該施設の利用状況を取得して、管理している利用状況を更新する更新手段をさらに備えることを特徴とする請求項１３に記載の管理サーバ。
【請求項１５】
ユーザ入力を受け付ける受付手段を備える携帯端末の制御方法であって、
前記受付手段によって受け付けたユーザ入力に従って選択された施設までの経路情報と、該選択された施設に設置されたリモートサーバを識別する識別情報とを管理サーバから取得して、該経路情報を含むマップ画面を表示部に表示させる第１の取得工程と、
外部装置から出力されるビーコンを検出すると、検出した前記ビーコンが前記リモートサーバから出力されたビーコンであるかを前記第１の取得工程で取得した前記識別情報を用いて判断する判断工程と、
前記判断工程で、検出した前記ビーコンが前記リモートサーバから出力されたビーコンであると判断されると、当該施設に設置された表示装置で表示されている広告情報を、前記管理サーバ、又は前記リモートサーバから取得して、前記表示部に表示されている前記マップ画面に代えて、該表示装置の表示内容に連携した広告画面を前記表示部に表示させる第２の取得工程と
を含むことを特徴とする携帯端末の制御方法。
【請求項１６】
施設ごとの利用状況と、該施設に関連する広告情報とを管理する管理サーバの制御方法であって、
携帯端末からの施設の選択に従って、前記携帯端末の位置から前記選択された施設までの経路情報と、該選択された施設に設置されたリモートサーバを識別する識別情報とを該携帯端末へ通知する第１の提供工程と、
前記第１の提供工程で提供した前記識別情報に対応する前記リモートサーバから出力されるビーコンを、前記携帯端末が受信した際に行う前記管理サーバへの要求に従って、前記施設に設置されている表示装置に該施設に関わる広告情報を配信する配信工程と、
前記配信工程で配信した前記広告情報について前記携帯端末から要求を受信すると、前記広告情報の詳細情報を該携帯端末に提供する第２の提供工程と
を含むことを特徴とする管理サーバの制御方法。
【請求項１７】
ユーザ入力を受け付ける受付手段を備える携帯端末において動作するプログラムであって、
前記受付手段によって受け付けたユーザ入力に従って選択された施設までの経路情報と、該選択された施設に設置されたリモートサーバを識別する識別情報とを管理サーバから取得して、該経路情報を含むマップ画面を表示部に表示させる第１の取得工程と、
外部装置から出力されるビーコンを検出すると、検出した前記ビーコンが前記リモートサーバから出力されたビーコンであるかを前記第１の取得工程で取得した前記識別情報を用いて判断する判断工程と、
前記判断工程で、検出した前記ビーコンが前記リモートサーバから出力されたビーコンであると判断されると、当該施設に設置された表示装置で表示されている広告情報を、前記管理サーバ、又は前記リモートサーバから取得して、前記表示部に表示されている前記マップ画面に代えて、該表示装置の表示内容に連携した広告画面を前記表示部に表示させる第２の取得工程と
を含むことを特徴とするプログラム。
【請求項１８】
施設ごとの利用状況と、該施設に関連する広告情報とを管理する管理サーバにおいて動作するプログラムであって、
携帯端末からの施設の選択に従って、前記携帯端末の位置から前記選択された施設までの経路情報と、該選択された施設に設置されたリモートサーバを識別する識別情報とを該携帯端末へ通知する第１の提供工程と、
前記第１の提供工程で提供した前記識別情報に対応する前記リモートサーバから出力されるビーコンを、前記携帯端末が受信した際に行う前記管理サーバへの要求に従って、前記施設に設置されている表示装置に該施設に関わる広告情報を配信する配信工程と、
前記配信工程で配信した前記広告情報について前記携帯端末から要求を受信すると、前記広告情報の詳細情報を該携帯端末に提供する第２の提供工程と
を含むことを特徴とするプログラム。
【請求項１９】
携帯端末と、施設ごとの利用状況及び該施設に関連する広告情報を管理する管理サーバと、広告を表示する表示装置と共に、所定の施設に設置されるリモートサーバとを含む探索配信システムであって、
前記携帯端末は、
ユーザ入力を受け付ける受付手段と、
前記受付手段によって受け付けたユーザ入力に従って選択された施設までの経路情報と、該選択された施設に設置されたリモートサーバを識別する識別情報とを管理サーバから取得して、該経路情報を含むマップ画面を表示部に表示させる第１の取得手段と、
外部装置から出力されるビーコンを検出すると、検出した前記ビーコンが前記リモートサーバから出力されたビーコンであるかを前記第１の取得手段によって取得した前記識別情報を用いて判断する判断手段と、
前記判断手段によって、検出した前記ビーコンが前記リモートサーバから出力されたビーコンであると判断されると、当該施設に設置された表示装置で表示されている広告情報を、前記管理サーバ、又は前記リモートサーバから取得して、前記表示部に表示されている前記マップ画面に代えて、該表示装置の表示内容に連携した広告画面を前記表示部に表示させる第２の取得手段と
を備え、
前記管理サーバは、
携帯端末からの施設の選択に従って、前記携帯端末の位置から前記選択された施設までの経路情報及び前記識別情報を該携帯端末へ通知する第１の提供手段と、
前記第１の提供手段によって提供した前記識別情報に対応する前記リモートサーバから出力されるビーコンを、前記携帯端末が受信した際に行う前記管理サーバへの要求に従って、前記施設に設置されている表示装置に該施設に関わる広告情報を配信する配信手段と、
前記配信手段によって配信した前記広告情報について前記携帯端末から要求を受信すると、前記広告情報の詳細情報を提供する第２の提供手段と
を備え、
前記リモートサーバは、
近距離無線通信を行う第１の通信手段と、
前記第１の通信手段より広域な範囲で通信を行う第２の通信手段と、
前記施設の出入口付近に設置されたセンサ及び前記表示装置に設けられたセンサの少なくとも１つからの信号に基づいて、該施設の利用状況を示す情報を生成し、前記第２の通信手段を介して管理サーバに通知する監視手段と、
前記近距離無線通信を介してアクセスしてきた携帯端末に対して、前記表示装置に表示されている広告情報を前記第１の通信手段を介して提供する広告情報提供手段と
を備えることを特徴とする探索配信システム。
【手続補正３】
【補正対象書類名】明細書
【補正対象項目名】０００１
【補正方法】変更
【補正の内容】
【０００１】
本発明は、携帯端末、管理サーバ、それらの制御方法、プログラム、及び探索配信システムに関する。
【手続補正４】
【補正対象書類名】明細書
【補正対象項目名】０００８
【補正方法】変更
【補正の内容】
【０００８】
本発明は、例えば、携帯端末であって、ユーザ入力を受け付ける受付手段と、前記受付手段によって受け付けたユーザ入力に従って選択された施設までの経路情報と、該選択された施設に設置されたリモートサーバを識別する識別情報とを管理サーバから取得して、該経路情報を含むマップ画面を表示部に表示させる第１の取得手段と、外部装置から出力されるビーコンを検出すると、検出した前記ビーコンが前記リモートサーバから出力されたビーコンであるかを前記第１の取得手段によって取得した前記識別情報を用いて判断する判断手段と、前記判断手段によって、検出した前記ビーコンが前記リモートサーバから出力されたビーコンであると判断されると、当該施設に設置された表示装置で表示されている広告情報を、前記管理サーバ、又は前記リモートサーバから取得して、前記表示部に表示されている前記マップ画面に代えて、該表示装置の表示内容に連携した広告画面を前記表示部に表示させる第２の取得手段とを備えることを特徴とする。
【手続補正５】
【補正対象書類名】明細書
【補正対象項目名】０００９
【補正方法】変更
【補正の内容】
【０００９】
また、本発明は、例えば、施設ごとの利用状況と、該施設に関連する広告情報とを管理する管理サーバであって、携帯端末からの施設の選択に従って、前記携帯端末の位置から前記選択された施設までの経路情報と、該選択された施設に設置されたリモートサーバを識別する識別情報とを該携帯端末へ通知する第１の提供手段と、前記第１の提供手段によって提供した前記識別情報に対応する前記リモートサーバから出力されるビーコンを、前記携帯端末が受信した際に行う前記管理サーバへの要求に従って、前記施設に設置されている表示装置及び携帯端末の少なくとも一方に該施設に関わる広告情報を配信する配信手段と、前記配信手段によって配信した前記広告情報について前記携帯端末から要求を受信すると、前記広告情報の詳細情報を該携帯端末に提供する第２の提供手段とを備えることを特徴とする。
【手続補正６】
【補正対象書類名】明細書
【補正対象項目名】００１０
【補正方法】削除
【補正の内容】